(57)【要約】  本願の実施例はデータ伝送方法、端末装置、及びネットワーク装置を開示し、該方法は、端末装置が複数のネットワーク装置における各ネットワーク装置の第１伝送制御情報を取得し、該複数のネットワーク装置における第１ネットワーク装置の第１伝送制御情報は、第１データ無線ベアラ（ＤＲＢ）のために該第１ネットワーク装置により設定されたデータ複製伝送機能の状態がアクティブ状態であることを指示することに用いられ、該複数のネットワーク装置における該第１ネットワーク装置を除く第２ネットワーク装置の第１伝送制御情報は、該第１ＤＲＢのために該第２ネットワーク装置により設定されたデータ複製伝送機能の状態が非アクティブ状態であることを指示することに用いられることと、該端末装置が該各ネットワーク装置の第１伝送制御情報に基づいて、第１ＤＲＢのデータ複製伝送機能を制御するためのターゲットネットワーク装置を該第１ネットワーク装置として決定することと、を含む。本願の実施例の方法、端末装置、及びネットワーク装置は、データ伝送性能を向上させることに有利である。
2020536406.tif 000002
【特許請求の範囲】
【請求項１】
端末装置が複数のネットワーク装置における各ネットワーク装置の第１伝送制御情報を取得し、前記複数のネットワーク装置における第１ネットワーク装置の第１伝送制御情報は、第１データ無線ベアラ（ＤＲＢ）のために前記第１ネットワーク装置により設定されたデータ複製伝送機能の状態がアクティブ状態であることを指示することに用いられ、前記複数のネットワーク装置における前記第１ネットワーク装置を除く第２ネットワーク装置の第１伝送制御情報は、前記第１ＤＲＢのために前記第２ネットワーク装置により設定されたデータ複製伝送機能の状態が非アクティブ状態であることを指示することに用いられることと、
前記端末装置が前記各ネットワーク装置の第１伝送制御情報に基づいて、第１ＤＲＢのデータ複製伝送機能を制御するためのターゲットネットワーク装置を前記第１ネットワーク装置として決定することと、を含むことを特徴とするデータ伝送方法。
【請求項２】
前記端末装置が前記各ネットワーク装置の伝送制御情報に基づいて、第１ＤＲＢのデータ複製伝送機能を制御するためのターゲットネットワーク装置を前記第１ネットワーク装置として決定した後、前記方法は、
前記端末装置が前記第１ネットワーク装置の第２伝送制御情報を取得し、前記第２伝送制御情報は前記第１ＤＲＢのために前記第１ネットワーク装置により設定されたデータ複製伝送機能の状態を指示することに用いられることと、
前記端末装置が前記第２伝送制御情報に基づいて、前記第１ＤＲＢのデータ複製伝送機能を制御することと、を更に含むことを特徴とする請求項１に記載の方法。
【請求項３】
前記端末装置が前記第２伝送制御情報に基づいて、前記第１ＤＲＢのデータ複製伝送機能を制御することは、
前記第２伝送制御情報の指示する前記状態が非アクティブ状態である場合、非複製データを伝送するように前記第１ＤＲＢを制御することと、
前記第２伝送制御情報の指示する前記状態がアクティブ状態である場合、複製データを伝送するように前記第１ＤＲＢを制御することと、を含むことを特徴とする請求項２に記載の方法。
【請求項４】
前記第１ネットワーク装置の第１伝送制御情報はビットマップにおける第１ビットを介して、前記第１ＤＲＢのために前記第１ネットワーク装置により設定されたデータ複製伝送機能の状態を指示し、前記端末装置が複数のネットワーク装置における各ネットワーク装置の第１伝送制御情報を取得することは、
前記端末装置が前記第１ネットワーク装置から送信された前記ビットマップを受信することと、
前記端末装置が前記ビットマップにおける前記第１ＤＲＢに対応する前記第１ビットの値を前記第１ネットワーク装置の第１伝送制御情報として決定することと、を含むことを特徴とする請求項１〜３のいずれか１項に記載の方法。
【請求項５】
前記第１ネットワーク装置の第１伝送制御情報はメディアアクセス制御（ＭＡＣ）シグナリングにベアリングされることを特徴とする請求項４に記載の方法。
【請求項６】
前記複数のネットワーク装置はマスターセルグループ内のネットワーク装置及びセカンダリセルグループ内のネットワーク装置を含むことを特徴とする請求項１〜５のいずれか１項に記載の方法。
【請求項７】
第１ネットワーク装置は前記第１ネットワーク装置を除くネットワーク装置とのインタラクションにより、前記第１ネットワーク装置を、端末装置の第１データ無線ベアラ（ＤＲＢ）のデータ複製伝送機能を制御するためのターゲットネットワーク装置として決定することと、
前記第１ネットワーク装置が伝送制御情報を前記端末装置に送信し、前記伝送制御情報は前記第１ＤＲＢのために前記第１ネットワーク装置により設定されたデータ複製伝送機能の状態を指示することに用いられ、前記状態がアクティブ状態又は非アクティブ状態であることと、を含むことを特徴とするデータ伝送方法。
【請求項８】
前記伝送制御情報はビットマップにおける第１ビットを介して、前記第１ＤＲＢのために前記第１ネットワーク装置により設定されたデータ複製伝送機能の状態を指示することを特徴とする請求項７に記載の方法。
【請求項９】
前記第１ネットワーク装置はマスターセルグループ内のネットワーク装置であることを特徴とする請求項７又は８に記載の方法。
【請求項１０】
端末装置であって、
複数のネットワーク装置における各ネットワーク装置の第１伝送制御情報を取得することに用いられ、前記複数のネットワーク装置における第１ネットワーク装置の第１伝送制御情報は第１データ無線ベアラ（ＤＲＢ）のために前記第１ネットワーク装置により設定されたデータ複製伝送機能の状態がアクティブ状態であることを指示することに用いられ、前記複数のネットワーク装置における前記第１ネットワーク装置を除く第２ネットワーク装置の第１伝送制御情報は、前記第１ＤＲＢのために前記第２ネットワーク装置により設定されたデータ複製伝送機能の状態が非アクティブ状態であることを指示することに用いられる取得ユニットと、
前記各ネットワーク装置の第１伝送制御情報に基づいて、第１ＤＲＢのデータ複製伝送機能を制御するためのターゲットネットワーク装置を前記第１ネットワーク装置として決定することに用いられる決定ユニットと、を備えることを特徴とする端末装置。
【請求項１１】
前記取得ユニットは更に、
前記第１ネットワーク装置の前記第１伝送制御情報を取得した後、前記第１ネットワーク装置の、前記第１ＤＲＢのために前記第１ネットワーク装置により設定されたデータ複製伝送機能の状態を指示するための第２伝送制御情報を取得することに用いられ、
前記端末装置は、
前記第２伝送制御情報に基づいて、前記第１ＤＲＢのデータ複製伝送機能を制御することに用いられる制御ユニットを更に備えることを特徴とする請求項１０に記載の端末装置。
【請求項１２】
前記制御ユニットは具体的に、
前記第２伝送制御情報の指示する前記状態が非アクティブ状態である場合、非複製データを伝送するように前記第１ＤＲＢを制御することと、
前記第２伝送制御情報の指示する前記状態がアクティブ状態である場合、複製データを伝送するように前記第１ＤＲＢを制御することと、に用いられることを特徴とする請求項１１に記載の端末装置。
【請求項１３】
前記第１ネットワーク装置の第１伝送制御情報はビットマップにおける第１ビットを介して、前記第１ＤＲＢのために前記第１ネットワーク装置により設定されたデータ複製伝送機能の状態を指示し、前記取得ユニットは具体的に、
前記第１ネットワーク装置から送信された前記ビットマップを受信することと、
前記ビットマップにおける前記第１ＤＲＢに対応する前記第１ビットの値を前記第１ネットワーク装置の第１伝送制御情報として決定することと、に用いられることを特徴とする請求項１０〜１２のいずれか１項に記載の端末装置。
【請求項１４】
前記第１ネットワーク装置の第１伝送制御情報はメディアアクセス制御（ＭＡＣ）シグナリングにベアリングされることを特徴とする請求項１３に記載の端末装置。
【請求項１５】
ネットワーク装置であって、前記ネットワーク装置は第１ネットワーク装置であり、前記ネットワーク装置は、
前記第１ネットワーク装置を除くネットワーク装置とのインタラクションに基づいて、前記第１ネットワーク装置を、端末装置の第１データ無線ベアラ（ＤＲＢ）のデータ複製伝送機能を制御するためのターゲットネットワーク装置として決定することに用いられる決定ユニットと、
伝送制御情報を前記端末装置に送信することに用いられ、前記伝送制御情報は前記第１ＤＲＢのために前記第１ネットワーク装置により設定されたデータ複製伝送機能の状態を指示することに用いられ、前記状態がアクティブ状態又は非アクティブ状態である送信ユニットと、を備えることを特徴とするネットワーク装置。
【請求項１６】
前記伝送制御情報はビットマップにおける第１ビットを介して、前記第１ＤＲＢのために前記第１ネットワーク装置により設定されたデータ複製伝送機能の状態を指示することを特徴とする請求項１５に記載のネットワーク装置。
【請求項１７】
前記第１ネットワーク装置はマスターセルグループ内のネットワーク装置であることを特徴とする請求項１５又は１６に記載のネットワーク装置。
【発明の詳細な説明】
【技術分野】
【０００１】
本願の実施例は通信分野に関し、より具体的に、データ伝送方法、端末装置、及びネットワーク装置に関する。
【背景技術】
【０００２】
新無線（Ｎｅｗ  Ｒａｄｉｏ、ＮＲ）に対する従来の検討では、データ複製伝送機能が設定されたベアラに対して、あるベアラのデータ複製伝送機能を動的にアクティベーション（ａｃｔｉｖａｔｅ）又はディアクティベーション（ｄｅ−ａｃｔｉｖａｔｅ）することができる。マルチ接続の場合、複数のネットワーク装置はそれぞれ、端末のあるベアラのデータ複製機能をアクティベーション又はディアクティベーションするように端末装置に指示することができる。その結果、異なるネットワーク装置が同一のベアラに対して指示したデータ複製機能の状態は異なる恐れがあり、従って、上記シーンにおいてあるベアラのデータ複製伝送機能を制御する方法を必要とする。
【発明の概要】
【発明が解決しようとする課題】
【０００３】
これに鑑みて、本願の実施例はデータ伝送方法、端末装置、及びネットワーク装置を提供し、データ伝送性能を向上させることに有利である。
【課題を解決するための手段】
【０００４】
第１態様では、データ伝送方法を提供し、該方法は、
端末装置が複数のネットワーク装置における各ネットワーク装置の第１伝送制御情報を取得し、該複数のネットワーク装置における第１ネットワーク装置の第１伝送制御情報は、第１データ無線ベアラ（ＤＲＢ）のために該第１ネットワーク装置により設定されたデータ複製伝送機能の状態がアクティブ状態であることを指示することに用いられ、該複数のネットワーク装置における該第１ネットワーク装置を除く第２ネットワーク装置の第１伝送制御情報は、該第１ＤＲＢのために該第２ネットワーク装置により設定されたデータ複製伝送機能の状態が非アクティブ状態であることを指示することに用いられることと、
該端末装置が該各ネットワーク装置の第１伝送制御情報に基づいて、第１ＤＲＢのデータ複製伝送機能を制御するためのターゲットネットワーク装置を該第１ネットワーク装置として決定することと、を含む
【０００５】
ネットワーク装置の間の協調により、端末装置はあるベアラのデータ複製伝送機能に対する有効なネットワーク装置を決定でき、該ベアラのデータ複製伝送機能に対する後続制御に有利であり、更にデータ伝送性能に有利である。
【０００６】
データ複製伝送機能のアクティブ状態とは、あるＤＲＢに対応するＰＤＣＰエンティティが１つのＰＤＣＰ  ＰＤＵを２つに複製して、それぞれ２つのＲＬＣエンティティにおいて伝送することができることを指す。データ複製伝送機能の非アクティブ状態とは、データ複製伝送機能を使用せず、即ちあるＤＲＢに対応するＰＤＣＰエンティティにより伝送されたＰＤＣＰ  ＰＤＵが複製データではなく、１つのＲＬＣエンティティにおいて１回伝送できることである。
【０００７】
第２ネットワーク装置は、該複数の端末装置における第１ネットワーク装置を除くすべてのネットワーク装置であり、該複数のネットワーク装置は対応するベアラをアクティベーション又はディアクティベーションすることができるすべてのネットワーク装置である。
【０００８】
一つの可能な実現形態において、該端末装置が該各ネットワーク装置の伝送制御情報に基づいて、第１ＤＲＢのデータ複製伝送機能を制御するためのターゲットネットワーク装置を該第１ネットワーク装置として決定した後、該方法は、
該端末装置が該第１ネットワーク装置の第２伝送制御情報を取得し、該第２伝送制御情報は該第１ＤＲＢのために該第１ネットワーク装置により設定されたデータ複製伝送機能の状態を指示することに用いられることと、
該端末装置が該第２伝送制御情報に基づいて、該第１ＤＲＢのデータ複製伝送機能を制御することと、を更に含む。
【０００９】
一つの可能な実現形態において、該端末装置が該第２伝送制御情報に基づいて、該第１ＤＲＢのデータ複製伝送機能を制御することは、
該第２伝送制御情報の指示する該状態が非アクティブ状態である場合、非複製データを伝送するように該第１ＤＲＢを制御することと、
該第２伝送制御情報の指示する前記状態がアクティブ状態である場合、複製データを伝送するように該第１ＤＲＢを制御することと、を含む。
【００１０】
一つの可能な実現形態において、該第１ネットワーク装置の第１伝送制御情報はビットマップにおける第１ビットを介して、該第１ＤＲＢのために該第１ネットワーク装置により設定されたデータ複製伝送機能の状態を指示し、該端末装置が複数のネットワーク装置における各ネットワーク装置の第１伝送制御情報を取得することは、
該端末装置が該第１ネットワーク装置から送信された該ビットマップを受信することと、
該端末装置が該ビットマップにおける該第１ＤＲＢに対応する該第１ビットの値を該第１ネットワーク装置の第１伝送制御情報として決定することと、を含む。
【００１１】
一つの可能な実現形態において、該第１ネットワーク装置の第１伝送制御情報はメディアアクセス制御（ＭＡＣ）シグナリングにベアリングされる。
【００１２】
一つの可能な実現形態において、該複数のネットワーク装置はマスターセルグループ内のネットワーク装置及びセカンダリセルグループ内のネットワーク装置を含む。
【００１３】
第２態様では、データ伝送方法を提供し、該方法は、
第１ネットワーク装置は該第１ネットワーク装置を除くネットワーク装置とのインタラクションにより、該第１ネットワーク装置を、端末装置の第１データ無線ベアラ（ＤＲＢ）のデータ複製伝送機能を制御するためのターゲットネットワーク装置として決定することと、
該第１ネットワーク装置が伝送制御情報を該端末装置に送信し、該伝送制御情報は該第１ＤＲＢのために該第１ネットワーク装置により設定されたデータ複製伝送機能の状態を指示することに用いられ、該状態がアクティブ状態又は非アクティブ状態であることと、を含む。
【００１４】
一つの可能な実現形態において、該伝送制御情報はビットマップにおける第１ビットを介して、該第１ＤＲＢのために該第１ネットワーク装置により設定されたデータ複製伝送機能の状態を指示する。
【００１５】
一つの可能な実現形態において、該第１ネットワーク装置はマスターセルグループ内のネットワーク装置である。
【００１６】
第３態様では、上記第１態様又は第１態様のいずれかの可能な実現形態の方法を実行するための端末装置を提供する。具体的に、該端末装置は、上記第１態様又は第１態様のいずれかの可能な実現形態の方法を実行するためのユニットを備える。
【００１７】
第４態様では、上記第２態様又は第１態様のいずれかの可能な実現形態の方法を実行するためのネットワーク装置を提供する。具体的に、該ネットワーク装置は、上記第２態様又は第２態様のいずれかの可能な実現形態の方法を実行するためのユニットを備える。
【００１８】
第５態様では、メモリ、プロセッサ、入力インタフェース及び出力インタフェースを備える端末装置を提供する。メモリ、プロセッサ、入力インタフェース及び出力インタフェースはバスシステムを介して接続される。該メモリは命令を記憶することに用いられ、該プロセッサは該メモリに記憶される命令を実行し、上記第１態様又は第１態様のいずれかの可能な実現形態の方法を実行することに用いられる。
【００１９】
第６態様では、メモリ、プロセッサ、入力インタフェース及び出力インタフェースを備えるネットワーク装置を提供する。メモリ、プロセッサ、入力インタフェース及び出力インタフェースはバスシステムを介して接続される。該メモリは命令を記憶することに用いられ、該プロセッサは該メモリに記憶される命令を実行し、上記第２態様又は第２態様のいずれかの可能な実現形態の方法を実行することに用いられる。
【００２０】
第７態様では、コンピュータ記憶媒体を提供し、上記第１態様又は第１態様のいずれかの可能な実現形態の方法、又は、上記第２態様又は第２態様のいずれかの可能な実現形態の方法を実行することに用いるコンピュータソフトウェア命令を記憶することに用いられ、上記態様の実行のために設計されたプログラムを含む。
【００２１】
第８態様では、命令を含むコンピュータプログラム製品を提供し、コンピュータにおいて実行される場合、コンピュータは上記第１態様又は第１態様のいずれかの選択可能な実現形態の方法、又は、上記第２態様又は第２態様のいずれかの選択可能な実現形態の方法を実行する。
【００２２】
本願のこれらの態様又は他の態様は、以下の実施例の説明において簡単で理解しやすくなる。
【図面の簡単な説明】
【００２３】
【図１】図１は本願の実施例の応用シーンの模式図を示す。
【図２】図２は二重接続シーンでのデータ複製伝送方式のプロトコルアーキテクチャ図を示す。
【図３】図３は本願の実施例のデータ伝送方法の模式的なブロック図を示す。
【図４】図４は本願の実施例のデータ伝送方法の他の模式的なブロック図を示す。
【図５】図５は本願の実施例のデータ伝送のための端末装置の模式的なブロック図を示す。
【図６】図６は本願の実施例のデータ伝送のためのネットワーク装置の模式的なブロック図を示す。
【図７】図７は本願の実施例のデータ伝送のための端末装置の他の模式的なブロック図を示す。
【図８】図８は本願の実施例のデータ伝送のためのネットワーク装置の他の模式的なブロック図を示す。
【発明を実施するための形態】
【００２４】
以下、本願の実施例の図面を参照しながら、本願の実施例の技術案を明確で完全に説明する。
【００２５】
なお、本願の実施例の技術案は、様々な通信システム、例えば、グローバルモバイル通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、汎用移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、新無線（Ｎｅｗ  Ｒａｄｉｏ、ＮＲ）又は将来の５Ｇシステム等に適用することができる。
【００２６】
特に、本願の実施例の技術案は、非直交多元接続技術に基づく様々な通信システム、例えば、スパース符号多元接続（Ｓｐａｒｓｅ  Ｃｏｄｅ  Ｍｕｌｔｉｐｌｅ  Ａｃｃｅｓｓ、ＳＣＭＡ）システム、低密度署名（Ｌｏｗ  Ｄｅｎｓｉｔｙ  Ｓｉｇｎａｔｕｒｅ、ＬＤＳ）システム等に適用することができ、勿論、ＳＣＭＡシステム及びＬＤＳシステムは通信分野において他の名称と呼ばれてもよく、更に、本願の実施例の技術案は、非直交多元接続技術を用いたマルチキャリア伝送システム、例えば、非直交多元接続技術を用いた直交周波数分割多重化（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルタバンクマルチキャリア（Ｆｉｌｔｅｒ  Ｂａｎｋ  Ｍｕｌｔｉ−Ｃａｒｒｉｅｒ、ＦＢＭＣ）、汎用周波数分割多重化（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルタリングされた直交周波数分割多重化（Ｆｉｌｔｅｒｅｄ−ＯＦＤＭ、Ｆ−ＯＦＤＭ）システム等に適用することができる。
【００２７】
本願の実施例の端末装置とは、ユーザ装置（Ｕｓｅｒ  Ｅｑｕｉｐｍｅｎｔ、ＵＥ）、アクセス端末、加入者ユニット、加入者局、移動局、移動台、遠隔局、遠隔端末、移動装置、ユーザ端末、端末、無線通信装置、ユーザエージェント又はユーザ装置を指してもよい。アクセス端末は、セルラーホン、コードレスホン、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、計算装置又は無線モデムに接続される他の処理装置、車載デバイス、ウェアラブルデバイス、将来の５Ｇネットワークにおける端末装置又は将来進化型の公衆陸上モバイルネットワーク（Ｐｕｂｌｉｃ  Ｌａｎｄ  Ｍｏｂｉｌｅ  Ｎｅｔｗｏｒｋ、ＰＬＭＮ）における端末装置等であってもよく、本願の実施例はそれを限定しない。
【００２８】
本願の実施例では、ネットワーク装置は端末装置と通信するための装置であってもよく、該ネットワーク装置はＧＳＭ又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、更にＬＴＥシステムにおける進化型基地局（Ｅｖｏｌｕｔｉｏｎａｌ  ＮｏｄｅＢ、ｅＮＢ又はｅＮｏｄｅＢ）であってもよく、また、クラウド無線アクセスネットワーク（Ｃｌｏｕｄ  Ｒａｄｉｏ  Ａｃｃｅｓｓ  Ｎｅｔｗｏｒｋ、ＣＲＡＮ）シーンでの無線コントローラであってもよく、又は、該ネットワーク装置は中継局、アクセスポイント、車載デバイス、ウェアラブルデバイス、及び将来の５Ｇネットワークにおけるネットワーク装置又は将来進化型のＰＬＭＮネットワークにおけるネットワーク装置等であってもよく、本願の実施例はそれを限定しない。
【００２９】
図１は本願の実施例の応用シーンの模式図である。図面の端末装置１３０の周りのネットワーク装置はマスターネットワーク装置１１０及び少なくとも１つのセカンダリネットワーク装置１２０を含む。該少なくとも１つのセカンダリネットワーク装置１２０はそれぞれマスターネットワーク装置１１０に接続され、マルチ接続を構成し、それぞれ端末装置１３０に接続されてサービスを提供する。該マスターネットワーク装置１１０はＬＴＥネットワークであってもよく、該セカンダリネットワーク装置１２０はＮＲネットワークであってもよい。又は、該マスターネットワーク装置１１０はＮＲネットワークであってもよく、該セカンダリネットワーク装置１２０はＬＴＥネットワークであってもよい。又は、該マスターネットワーク装置１１０及び該セカンダリネットワーク装置１２０はいずれもＮＲネットワークである。本願は技術案の応用シーンを限定しない。端末装置１３０はマスターネットワーク装置１１０及びセカンダリネットワーク装置１２０を介して接続を同時に確立できる。端末装置１３０とマスターネットワーク装置１１０が確立した接続はマスター接続であり、端末装置１３０とセカンダリネットワーク装置１２０が確立した接続はセカンダリ接続である。端末装置１３０の制御シグナリングはマスター接続を介して伝送可能であり、端末装置のデータはマスター接続とセカンダリ接続を介して同時に伝送可能であり、セカンダリ接続のみを介して伝送可能である。
【００３０】
本願の実施例では、マスターネットワーク装置は、例えばマクロセル（Ｍａｃｒｏｃｅｌｌ）であってもよく、セカンダリネットワーク装置は、例えばマイクロセル（Ｍｉｃｒｏｃｅｌｌ）、ピコセル（Ｐｉｃｏｃｅｌｌ）、フェムトセル（Ｆｅｍｔｏｃｅｌｌ）であってもよいが、本発明の実施例はこれらに限定されない。
【００３１】
更に具体的に、該マスターネットワーク装置はＬＴＥネットワーク装置であってもよく、該セカンダリネットワーク装置はＮＲネットワーク装置である。なお、本発明の実施例はこれらに限定されず、該マスターネットワーク装置は更にＧＳＭネットワーク装置、ＣＤＭＡネットワーク装置等であってもよく、該セカンダリネットワーク装置はＧＳＭネットワーク装置、ＣＤＭＡネットワーク装置等であってもよく、本願の実施例はそれを限定しない。
【００３２】
キャリアアグリゲーションのシーンで、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）はデータ複製機能をサポートでき、即ち、ＰＤＣＰのデータ複製機能を利用して、複製したデータを２つの又は複数のベアラに対応し、最終的に複製した複数の同一のＰＤＣＰプロトコルデータユニット（Ｐｒｏｔｏｃｏｌ  Ｄａｔａ  Ｕｎｉｔ、ＰＤＵ）が異なる物理層のアグリゲーションキャリアにおいて伝送可能になり、それにより、周波数ダイバーシティゲインを実現してデータ伝送の信頼性を向上させる。
【００３３】
理解しやすくするために、以下、図２を参照しながら二重接続シーンでのデータ複製伝送方式のプロトコルアーキテクチャを簡単に説明する。データ複製伝送方式はスプリットベアラ（ｓｐｌｉｔ  ｂｅａｒｅｒ）のプロトコルアーキテクチャを用いる。アップリンクとダウンリンクにとって、ＰＤＣＰはあるセルグループ（Ｃｅｌｌ  Ｇｒｏｕｐ、ＣＧ）に位置し、該ＣＧはアンカーセルグループ（ａｎｃｈｏｒ  ＣＧ）であり、ＣＧはマスターセルグループ及びセカンダリセルグループを含み、ＰＤＣＰはＰＤＣＰ  ＰＤＵを同一の２つのものに複製し、例えば、１つはＰＤＣＰ  ＰＤＵであり、もう１つは複製された（Ｄｕｐｌｉｃａｔｅｄ）ＰＤＣＰ  ＰＤＵであり、２つのＰＤＣＰは異なるＣＧの無線リンク制御（Ｒａｄｉｏ  Ｌｉｎｋ  Ｃｏｎｔｒｏｌ、ＲＬＣ）、メディアアクセス制御（Ｍｅｄｉａ  Ａｃｃｅｓｓ  Ｃｏｎｔｒｏｌ、ＭＡＣ）を介して、更にエアインタフェースを介して端末（ダウンリンク）又は基地局（アップリンク）の対応するＭＡＣ、ＲＬＣ層に到達して、最終的にＰＤＣＰで集まり、ＰＤＣＰ層が２つのＰＤＣＰが同じ複製バージョンであることを監視すると、その１つを捨て、他の１つを上位層に送信する。２つのＲＬＣ及びＭＡＣをそれぞれＰＤＣＰに接続するベアラはｓｐｌｉｔ  ｂｅａｒｅｒと呼ばれる。
【００３４】
ＮＲについての従来の検討では、データ複製伝送機能が設定された無線ベアラに対して、ＭＡＣ制御元素（Ｃｏｎｔｒｏｌ  Ｅｌｅｍｅｎｔ、ＣＥ）によりあるベアラのデータ複製伝送機能を動的にアクティベーション（ａｃｔｉｖａｔｅ）又はディアクティベーション（ｄｅ−ａｃｔｉｖａｔｅ）することができる。二重接続シーンの場合、マスターセルグループのネットワーク装置及びセカンダリセルグループのネットワーク装置は、それぞれＭＡＣ  ＣＥを送信することで端末のあるｓｐｌｉｔ  ｂｅａｒｅｒのデータ複製機能をアクティベーション又はディアクティベーションすることができる。それにより、異なるマスターセルグループのネットワーク装置及びセカンダリセルグループのネットワーク装置は、端末のあるｓｐｌｉｔ  ｂｅａｒｅｒのデータ複製機能に対して異なる状態を指示し、例えば、マスターセルグループのネットワーク装置は該ｓｐｌｉｔ  ｂｅａｒｅｒのデータ複製機能をアクティベーションすることを指示するが、セカンダリセルグループのネットワーク装置は該ｓｐｌｉｔ  ｂｅａｒｅｒのデータ複製機能をディアクティベーションすることを指示する。従って、端末装置は如何に複数のネットワーク装置と組合せて同一のｓｐｌｉｔ  ｂｅａｒｅｒのデータ複製機能の設定に対して該ｓｐｌｉｔ  ｂｅａｒｅｒのデータ複製機能を制御するかは、解決する必要がある課題である。
【００３５】
なお、本明細書の用語の「システム」と「ネットワーク」は本明細書において交換可能に使用される。本明細書の用語の「及び／又は」は関連対象の関連関係を説明するためのものに過ぎず、３つの関係を示す。例えば、Ａ及び／又はＢは、Ａが単独で存在すること、ＡとＢが同時に存在すること、Ｂが単独で存在することの３つの場合を示す。また、本明細書の文字の「／」は、一般的に前後にある関連対象が「又は」の関係であることを示す。
【００３６】
図３は本願の実施例のデータ伝送方法２００の模式的なブロック図を示す。図３に示すように、該方法２００は以下のＳ２１０〜Ｓ２２０の一部又は全部を含む。
【００３７】
Ｓ２１０、端末装置は複数のネットワーク装置における各ネットワーク装置の第１伝送制御情報を取得し、前記複数のネットワーク装置における第１ネットワーク装置の第１伝送制御情報は、第１データ無線ベアラ（ＤＲＢ）のために前記第１ネットワーク装置により設定されたデータ複製伝送機能の状態がアクティブ状態であることを指示することに用いられ、前記複数のネットワーク装置における前記第１ネットワーク装置を除く第２ネットワーク装置の第１伝送制御情報は、前記第１ＤＲＢのために前記第２ネットワーク装置により設定されたデータ複製伝送機能の状態が非アクティブ状態であることを指示することに用いられる。
【００３８】
Ｓ２２０、前記端末装置は前記各ネットワーク装置の第１伝送制御情報に基づいて、第１ＤＲＢのデータ複製伝送機能を制御するためのターゲットネットワーク装置を前記第１ネットワーク装置として決定する。
【００３９】
具体的に、ネットワーク装置の間にはＸｎインタフェースの協調により端末装置のあるベアラのデータ複製伝送機能を制御できる。すなわち、ネットワーク装置はどのネットワーク装置がどのベアラのデータ複製伝送機能を制御するかを予めネゴシエーションすることができる。例を挙げると、端末装置のデータ無線ベアラ（Ｄａｔａ  Ｒａｄｉｏ  Ｂｅａｒｅｒ、ＤＲＢ）の識別子（ｉｄｅｎｔｉｆｙ、ＩＤ）はそれぞれデータ複製伝送機能を有する１、３、４、７である。ネットワーク側（１つのマスターセルグループのネットワーク装置及び１つのセカンダリセルグループのネットワーク装置であることを仮定する）は協調により、ＤＲＢ  ＩＤが１及び３のＤＲＢのデータ複製伝送機能のオン又はオフをマスターセルグループのネットワーク装置に制御させ、ＤＲＢ  ＩＤが４及び７のＤＲＢのデータ複製伝送機能のオン又はオフをセカンダリセルグループのネットワーク装置に制御させることができる。すなわち、マスターセルグループのネットワーク装置が端末装置に送信した、ＤＲＢ  ＩＤが１のデータ複製伝送機能に対する状態指示はオン又はオフであってもよいが、セカンダリセルグループのネットワーク装置が端末装置に送信した、該ＤＲＢ  ＩＤが１のデータ複製伝送機能に対する状態指示はオフでなければならない。端末装置が受信した１つのネットワーク装置から送信された状態指示はオンであると、端末装置は該ネットワーク装置が、ＤＲＢ  ＩＤが１のデータ複製伝送機能を制御する有効なネットワーク装置であることを決定でき、このように、端末装置は次に該ＤＲＢ  ＩＤが１のデータ複製伝送機能を指示する状態指示を受信する場合、他のネットワーク装置の指示を考慮せず、決定された有効なネットワーク装置の指示のみに基づいて該ＤＲＢ  ＩＤが１のデータ複製伝送機能を制御すればよい。
【００４０】
従って、本願の実施例のデータ伝送方法では、ネットワーク装置の間の協調により端末装置はあるベアラのデータ複製伝送機能に対する有効なネットワーク装置を決定でき、該ベアラのデータ複製伝送機能の後続制御に有利であり、更にデータ伝送性能に有利である。
【００４１】
データ複製伝送機能のアクティブ状態とは、あるＤＲＢに対応するＰＤＣＰエンティティが１つのＰＤＣＰ  ＰＤＵを２つに複製して、それぞれ２つのＲＬＣエンティティにおいて伝送することができることを指す。データ複製伝送機能の非アクティブ状態とは、データ複製伝送機能を使用せず、即ちあるＤＲＢに対応するＰＤＣＰエンティティにより伝送されたＰＤＣＰ  ＰＤＵが複製データではなく、１つのＲＬＣエンティティにおいて１回伝送できることである。
【００４２】
理解すべきなのは、本願の実施例の第２ネットワーク装置は、該複数の端末装置における第１ネットワーク装置を除くすべてのネットワーク装置であり、該複数のネットワーク装置は対応するベアラをアクティベーション又はディアクティベーションすることができるすべてのネットワーク装置であってもよい。
【００４３】
選択肢として、本願の実施例において、あるネットワーク装置の第１伝送制御情報を取得することは、ネットワーク装置から該第１伝送制御情報を直接に受信することであってもよく、端末装置に保存されるネットワーク装置があるベアラに対して以前に設定したデータ複製伝送機能の状態であってもよい。
【００４４】
当業者が理解できるように、本願の実施例に記載の二重接続はマルチ接続であってもよく、本明細書において二重接続を例として説明することが多いが、本願の実施例はこれを限定しない。
【００４５】
選択肢として、端末装置はデータ複製伝送機能が設定されたｓｐｌｉｔ  ｂｅａｒｅｒのそれぞれに対して１つの制御変数を維持でき、端末装置はある時点にマスターネットワーク装置及びセカンダリネットワーク装置がそれぞれ送信した指示情報を同時に受信する可能性があり、該指示情報が１つのビットを例として、端末装置はある時点にマスターネットワーク装置から送信された、あるｓｐｌｉｔ  ｂｅａｒｅｒに対して設定されたデータ複製伝送機能がアクティブ状態であることを示す１、セカンダリネットワーク装置から送信された、対応するｓｐｌｉｔ  ｂｅａｒｅｒに対して設定したデータ複製伝送機能が非アクティブ状態であることを示す０を受信し、それにより、端末装置は制御変数を１０に直接に更新して、直接に１０に基づいて対応のｓｐｌｉｔ  ｂｅａｒｅｒのデータ複製伝送機能を制御することができ、該制御変数の初期値は００であってもよい。
【００４６】
選択肢として、端末装置は異なる時点にマスターネットワーク装置及びセカンダリネットワーク装置がそれぞれ送信した指示情報を受信してもよく、端末装置は１つのネットワーク装置から送信された指示情報を受信した後に、まず対応するｓｐｌｉｔ  ｂｅａｒｅｒのデータ複製伝送機能を変更せず、他のネットワーク装置から送信された指示情報を受信すると、制御変数を同時に更新して、更新された制御変数に基づいて対応のｓｐｌｉｔ  ｂｅａｒｅｒのデータ複製伝送機能を制御する。
【００４７】
選択肢として、端末装置は１つのネットワーク装置から送信された指示情報を受信すると制御変数を更新して、更新された制御変数に基づいて対応のｓｐｌｉｔ  ｂｅａｒｅｒのデータ複製伝送機能を直接に制御し、該制御変数は初期値を有し、例えば、該制御変数の初期値は００であってもよい。
【００４８】
選択肢として、本願の実施例において、該端末装置が更新された該制御変数に基づいて、該第１ＤＲＢのデータ複製伝送機能を制御することは、
該端末装置は更新された該制御変数及び第１マッピング関係表に基づいて、該第１ＤＲＢのデータ複製伝送機能のターゲット状態を決定し、該第１マッピング関係表は複数の状態の組合せと複数のターゲット状態とのマッピング関係を含み、該状態の組合せにおける各状態は該複数のネットワーク装置に一対一で対応することと、
該端末装置が該ターゲット状態に基づいて、該第１ＤＲＢのデータ複製伝送機能を制御することと、を含む。
【００４９】
具体的に、端末装置はデータ複製伝送機能が設定された各ｓｐｌｉｔ  ｂｅａｒｅｒに対して１つのマッピング関係表を予め保存してもよく、該マッピング関係表は、対応するベアラをアクティベーション又はディアクティベーションすることができるすべてのネットワーク装置が対応のｓｐｌｉｔ  ｂｅａｒｅｒのデータ複製伝送機能を設定する可能な様々な状態の組合せ、及び、様々な状態の組合せで該対応のｓｐｌｉｔ  ｂｅａｒｅｒのデータ複製伝送機能をどのようなターゲット状態にすべきかを含んでもよい。端末装置により更新された制御変数も状態の組合せの一つであり、端末装置は更新された制御変数に基づいて対応のマッピング関係表を検索すれば、対応するターゲット状態を見つけることができ、更にターゲット状態に基づいて対応のｓｐｌｉｔ  ｂｅａｒｅｒのデータ複製伝送機能を直接に制御できる。１つのビットが、１つのネットワーク装置が１つのｓｐｌｉｔ  ｂｅａｒｅｒのデータ複製伝送機能に対する状態を代表することを例として、あるｓｐｌｉｔ  ｂｅａｒｅｒに対するマッピング関係表は表１であってもよい。
【００５０】
【表１】
2020536406.tif 000003
【００５１】
理解すべきなのは、マスターネットワーク装置及びセカンダリネットワーク装置は有効なネットワーク装置をネゴシエーションしたため、更新された制御変数は００、０１又は００、１０でなければならない。端末装置にとって、そもそもどのネットワーク装置が有効なネットワーク装置であるかは不明であり、従って、記憶されているマッピング表における状態の組合せは００、０１及び１０という３つの状態の組合せを含んでもよい。
【００５２】
選択肢として、本願の実施例において、該端末装置が該各ネットワーク装置の伝送制御情報に基づいて、第１ＤＲＢのデータ複製伝送機能を制御するためのターゲットネットワーク装置を該第１ネットワーク装置として決定した後、該方法は、
該端末装置が該第１ネットワーク装置の第２伝送制御情報を取得し、該第２伝送制御情報は該第１ＤＲＢのために該第１ネットワーク装置により設定されたデータ複製伝送機能の状態を指示することに用いられることと、
該端末装置が該第２伝送制御情報に基づいて、該第１ＤＲＢのデータ複製伝送機能を制御することと、を更に含む。
【００５３】
上記のように、端末装置はあるベアラのデータ複製伝送機能を制御するネットワーク装置を決定すると、次に該決定されたネットワーク装置から送信された指示のみに基づいて対応のベアラのデータ複製伝送機能を制御できる。
【００５４】
選択肢として、本願の実施例において、該端末装置が該第２伝送制御情報に基づいて、該第１ＤＲＢのデータ複製伝送機能を制御することは、
該第２伝送制御情報の指示する該状態が非アクティブ状態である場合、非複製データを伝送するように該第１ＤＲＢを制御することと、
該第２伝送制御情報の指示する該状態がアクティブ状態である場合、複製データを伝送するように該第１ＤＲＢを制御することと、を含む。
【００５５】
選択肢として、本願の実施例において、該第１ネットワーク装置の第１伝送制御情報はビットマップにおける第１ビットを介して、該第１ＤＲＢのために該第１ネットワーク装置により設定されたデータ複製伝送機能の状態を指示し、該端末装置が複数のネットワーク装置における各ネットワーク装置の第１伝送制御情報を取得することは、
該端末装置が該第１ネットワーク装置から送信された該ビットマップを受信することと、
該端末装置が該ビットマップにおける該第１ＤＲＢに対応する該第１ビットの値を該第１ネットワーク装置の第１伝送制御情報として決定することと、を含む。
【００５６】
従来のＮＲ検討では、１バイト（ｂｙｔｅ）である一つのビットマップ（ｂｉｔｍａｐ）により、データ複製伝送機能を有するＤＲＢを端末装置に指示することに同意する。異なるｂｉｔｍａｐにおける位置はそれぞれ端末の異なるｂｅａｒｅｒ識別子（ｉｄｅｎｔｉｆｙ、ＩＤ）に対応し、これらのｂｅａｒｅｒ  ＩＤで識別されるｂｅａｒｅｒはデータ複製伝送機能が設定されたｂｅａｒｅｒである。例えば、端末のｂｅａｒｅｒ  ＩＤが０、２、３、７、８、１０であるのは、データ複製伝送機能を有するｂｅａｒｅｒである。１つの対応関係は、ｂｉｔｍａｐ端末の第１ビットがｂｅａｒｅｒ  ＩＤ  ０に対応し、第２ビットがｂｅａｒｅｒ  ＩＤ  ２に対応し、第３ビットがｂｅａｒｅｒ  ＩＤ  ３に対応し、第４ビットがｂｅａｒｅｒ  ＩＤ  ７に対応し、第５ビットがｂｅａｒｅｒ  ＩＤ  ８に対応し、第６ビットがｂｅａｒｅｒ  ＩＤ  １０に対応し、第７ビットと第８ビットが無効ビットである。このような対応関係は昇順対応関係であってもよく、降順対応関係であってもよく。
【００５７】
端末装置のＭＡＣはあるネットワーク装置から送信されたｂｉｔｍａｐを受信した後、ｂｉｔｍａｐにおける対応のｂｉｔを対応のＤＲＢのＰＤＣＰに指示してもよい。具体的に、端末装置はｂｉｔｍａｐとＤＲＢ  ＩＤとの対応関係に基づいて、ｂｉｔｍａｐにおけるＤＲＢ  ＩＤに対応するｂｉｔを見つけることができ、例えば、ネットワーク装置はデータ複製伝送機能を有するＤＲＢ  ＩＤの１、３、４、７を、それぞれｂｉｔｍａｐにおける１、２、３、４ビットに対応する。この場合、端末装置のＭＡＣはｂｉｔｍａｐを受信した後、ＤＲＢ  ＩＤが１のＰＤＣＰに第１ビットの値を指示し、ＤＲＢ  ＩＤが３のＰＤＣＰに第２ビットの値を指示してもよく、これによって類推する。
【００５８】
選択肢として、本願の実施例において、伝送制御情報はメディアアクセス制御（ＭＡＣ）シグナリングにベアリングされる。
【００５９】
理解すべきなのは、本願の実施例の様々な指示情報、例えばダウンリンク制御情報（Ｄｏｗｎｌｏａｄ  Ｃｏｎｔｒｏｌ  Ｉｎｆｏｒｍａｔｉｏｎ、ＤＣＩ）等は、上記ＭＡＣ層シグナリングを除く他のシグナリングによっててもよい。
【００６０】
更に理解すべきなのは、上記複数のネットワーク装置は、１つのマスターセルグループのネットワーク装置及び１つのセカンダリセルグループのネットワーク装置を例として説明したが、本願の実施例はこれらに限定されず、例えば、該複数のネットワーク装置は１つのマスターセルグループのネットワーク装置及び複数のセカンダリセルグループのネットワーク装置であってもよい。
【００６１】
更に理解すべきなのは、上記ｂｉｔｍａｐにおける１つのビットは１つのベアラのデータ複製伝送機能の状態を示し、本願の実施例はこれに限定されず、例えば、２つのビットで１つのベアラのデータ複製伝送機能の状態を示してもよい。
【００６２】
図４は本願の実施例のデータ伝送方法３００の模式的なブロック図を示す。図４に示すように、該方法３００は以下のＳ３１０〜Ｓ３２０の一部又は全部を含む。
【００６３】
Ｓ３１０、第１ネットワーク装置は前記第１ネットワーク装置を除くネットワーク装置とのインタラクションにより、前記第１ネットワーク装置を、端末装置の第１データ無線ベアラ（ＤＲＢ）のデータ複製伝送機能を制御するためのターゲットネットワーク装置として決定する。
【００６４】
Ｓ３２０、前記第１ネットワーク装置は伝送制御情報を前記端末装置に送信し、前記伝送制御情報は前記第１ＤＲＢのために前記第１ネットワーク装置により設定されたデータ複製伝送機能の状態を指示することに用いられ、前記状態はアクティブ状態又は非アクティブ状態である。
【００６５】
従って、本願の実施例のデータ伝送方法では、ネットワーク装置の間の協調により端末装置はあるベアラのデータ複製伝送機能に対する有効なネットワーク装置を決定でき、該ベアラのデータ複製伝送機能の後続制御に有利であり、更にデータ伝送性能に有利である。
【００６６】
選択肢として、本願の実施例において、前記伝送制御情報はビットマップにおける第１ビットを介して、前記第１ＤＲＢのために前記第１ネットワーク装置により設定されたデータ複製伝送機能の状態を指示する。
【００６７】
選択肢として、本願の実施例において、前記第１ネットワーク装置はマスターセルグループ内のネットワーク装置である。
【００６８】
理解すべきなのは、ネットワーク装置について説明したネットワーク装置と端末装置との間のインタラクション及び関連特性、機能等は、端末装置の関連特性、機能に対応する。そして関連内容は上記方法１００において詳細に説明したが、簡明のために、ここで繰り返して説明しない。
【００６９】
更に理解すべきなのは、本願の様々な実施例において、上記各過程の番号は実行順次を意味せず、各過程の実行順次はその機能及び内部論理によって決定されるべきであり、本願の実施例の実施過程を限定するものではない。
【００７０】
以上、本願の実施例に係るデータ伝送方法を詳細に説明したが、以下、図５〜図８を参照しながら本願の実施例に係るデータ伝送装置を説明し、方法の実施例に記載の技術的特徴は以下の装置実施例に適用される。
【００７１】
図５は本願の実施例の端末装置４００の模式的なブロック図を示す。図５に示すように、該端末装置４００は、
複数のネットワーク装置における各ネットワーク装置の第１伝送制御情報を取得することに用いられ、前記複数のネットワーク装置における第１ネットワーク装置の第１伝送制御情報は第１データ無線ベアラ（ＤＲＢ）のために前記第１ネットワーク装置により設定されたデータ複製伝送機能の状態がアクティブ状態であることを指示することに用いられ、前記複数のネットワーク装置における前記第１ネットワーク装置を除く第２ネットワーク装置の第１伝送制御情報は、前記第１ＤＲＢのために前記第２ネットワーク装置により設定されたデータ複製伝送機能の状態が非アクティブ状態であることを指示することに用いられる取得ユニット４１０と、
前記各ネットワーク装置の第１伝送制御情報に基づいて、第１ＤＲＢのデータ複製伝送機能を制御するためのターゲットネットワーク装置を前記第１ネットワーク装置として決定することに用いられる決定ユニット４２０と、を備える。
【００７２】
従って、本願の実施例の端末装置では、ネットワーク装置の間の協調により端末装置はあるベアラのデータ複製伝送機能に対する有効なネットワーク装置を決定でき、該ベアラのデータ複製伝送機能の後続制御に有利であり、更にデータ伝送性能に有利である。
【００７３】
選択肢として、本願の実施例において、前記取得ユニットは更に、前記第１ネットワーク装置の前記第１伝送制御情報を取得した後、前記第１ネットワーク装置の、前記第１ＤＲＢのために前記第１ネットワーク装置により設定されたデータ複製伝送機能の状態を指示するための第２伝送制御情報を取得することに用いられ、
前記端末装置は、前記第２伝送制御情報に基づいて、前記第１ＤＲＢのデータ複製伝送機能を制御することに用いられる制御ユニットを更に備える。
【００７４】
選択肢として、本願の実施例において、前記制御ユニットは具体的に、
前記第２伝送制御情報の指示する前記状態が非アクティブ状態である場合、非複製データを伝送するように前記第１ＤＲＢを制御することと、
前記第２伝送制御情報の指示する前記状態がアクティブ状態である場合、複製データを伝送するように前記第１ＤＲＢを制御することと、に用いられる。
【００７５】
選択肢として、本願の実施例において、前記第１ネットワーク装置の第１伝送制御情報はビットマップにおける第１ビットを介して、前記第１ＤＲＢのために前記第１ネットワーク装置により設定されたデータ複製伝送機能の状態を指示し、前記取得ユニットは具体的に、
前記第１ネットワーク装置から送信された前記ビットマップを受信することと、
前記ビットマップにおける前記第１ＤＲＢに対応する前記第１ビットの値を前記第１ネットワーク装置の第１伝送制御情報として決定することと、に用いられる。
【００７６】
選択肢として、本願の実施例において、前記第１ネットワーク装置の第１伝送制御情報はメディアアクセス制御（ＭＡＣ）シグナリングにベアリングされる。
【００７７】
理解すべきなのは、本願の実施例に係る端末装置４００は本願の方法実施例における端末装置に対応し、そして端末装置４００における各ユニットの上記及び他の操作及び／又は機能はそれぞれ図３の方法の端末装置の対応するプロセスを実現するためのものであり、簡明のために、ここで繰り返して説明しない。
【００７８】
図６は本願の実施例のネットワーク装置５００の模式的なブロック図を示す。前記ネットワーク装置は第１ネットワーク装置であり、図６に示すように、該ネットワーク装置５００は、
前記第１ネットワーク装置を除くネットワーク装置とのインタラクションに基づいて、前記第１ネットワーク装置を、端末装置の第１データ無線ベアラ（ＤＲＢ）のデータ複製伝送機能を制御するためのターゲットネットワーク装置として決定することに用いられる決定ユニット５１０と、
伝送制御情報を前記端末装置に送信することに用いられ、前記伝送制御情報は前記第１ＤＲＢのために前記第１ネットワーク装置により設定されたデータ複製伝送機能の状態を指示することに用いられ、前記状態がアクティブ状態又は非アクティブ状態である送信ユニット５２０と、を備える。
【００７９】
従って、本願の実施例のネットワーク装置では、ネットワーク装置の間の協調により端末装置はあるベアラのデータ複製伝送機能に対する有効なネットワーク装置を決定でき、該ベアラのデータ複製伝送機能の後続制御に有利であり、更にデータ伝送性能に有利である。
【００８０】
選択肢として、本願の実施例において、前記伝送制御情報はビットマップにおける第１ビットを介して、前記第１ＤＲＢのために前記第１ネットワーク装置により設定されたデータ複製伝送機能の状態を指示する。
【００８１】
選択肢として、本願の実施例において、前記第１ネットワーク装置はマスターセルグループ内のネットワーク装置である。
【００８２】
理解すべきなのは、本願の実施例に係るネットワーク装置５００は本願の方法実施例におけるネットワーク装置に対応し、そしてネットワーク装置５００における各ユニットの上記及び他の操作及び／又は機能はそれぞれ図４の方法のネットワーク装置の対応するプロセスを実現するためのものであり、簡明のために、ここで繰り返して説明しない。
【００８３】
図７に示すように、本願の実施例は端末装置６００を更に提供し、該端末装置６００は図５の端末装置４００であってもよく、図３の方法１００に対応する端末装置の内容を実行することに用いられることができる。該端末装置６００は入力インタフェース６１０、出力インタフェース６２０、プロセッサ６３０及びメモリ６４０を備え、該入力インタフェース６１０、出力インタフェース６２０、プロセッサ６３０及びメモリ６４０はバスシステムを介して接続可能である。該メモリ６４０はプログラム、命令又はコードを記憶することに用いられる。該プロセッサ６３０は該メモリ６４０におけるプログラム、命令又はコードを実行して、入力インタフェース６１０による信号受信、出力インタフェース６２０による信号送信を制御して上記方法実施例における操作を完成することに用いられる。
【００８４】
従って、本願の実施例の端末装置では、ネットワーク装置の間の協調により端末装置はあるベアラのデータ複製伝送機能に対する有効なネットワーク装置を決定でき、該ベアラのデータ複製伝送機能の後続制御に有利であり、更にデータ伝送性能に有利である。
【００８５】
なお、本願の実施例において、該プロセッサ６３０は中央処理装置（Ｃｅｎｔｒａｌ  Ｐｒｏｃｅｓｓｉｎｇ  Ｕｎｉｔ、ＣＰＵ）であってもよく、また、他の汎用プロセッサ、デジタル信号プロセッサ、特定用途向け集積回路、フィールドプログラマブルゲートアレイ又は他のプログラマブルロジックデバイス、ディスクリートゲート又はトランジスタロジックデバイス、ディスクリートハードウェアユニット等であってもよい。汎用プロセッサはマイクロプロセッサーであってもよく、又は、該プロセッサはいずれかの一般的なプロセッサ等であってもよい。
【００８６】
該メモリ６４０は読み出し専用メモリ及びランダムアクセスメモリを含んで、命令及びデータをプロセッサ６３０に提供することができる。メモリ６４０の一部は不揮発性ランダムアクセスメモリを含んでもよい。例えば、メモリ６４０はデバイスタイプに関する情報を記憶してもよい。
【００８７】
実現プロセスにおいて、上記方法の各内容はプロセッサ６３０におけるハードウェアの集積論理回路又はソフトウェア方式の命令によって完了される。本願の実施例に開示される方法の内容はハードウェアプロセッサで実行して完成し、又はプロセッサにおけるハードウェア及びソフトウェアモジュールの組み合わせで実行して完成するように直接に具現されてもよい。ソフトウェアモジュールはランダムメモリ、フラッシュメモリ、読み出し専用メモリ、プログラマブル読み出し専用メモリ又は電気的に消去可能なプログラマブルメモリ、レジスタ等の本分野の成熟した記憶媒体に位置してもよい。該記憶媒体はメモリ６４０に位置し、プロセッサ６３０はメモリ６４０における情報を読み取り、そのハードウェアと組み合わせて上記方法の内容を完了する。重複を避けるために、ここで詳細な説明は省略する。
【００８８】
１つの具体的な実施形態において、端末装置４００における取得ユニット、決定ユニット及び制御ユニットは、図７におけるプロセッサ６３０によって実現できる。
【００８９】
図８に示すように、本願の実施例はネットワーク装置７００を更に提供し、該ネットワーク装置７００は図６におけるネットワーク装置５００であってもよく、図４の方法２００に対応するネットワーク装置の内容を実行することに用いられることができる。該ネットワーク装置７００は入力インタフェース７１０、出力インタフェース７２０、プロセッサ７３０及びメモリ７４０を備え、該入力インタフェース７１０、出力インタフェース７２０、プロセッサ７３０及びメモリ７４０はバスシステムを介して接続可能である。該メモリ７４０はプログラム、命令又はコードを記憶することに用いられる。該プロセッサ７３０は該メモリ７４０におけるプログラム、命令又はコードを実行して、入力インタフェース７１０による信号受信、出力インタフェース７２０による信号送信を制御して上記方法実施例における操作を完成することに用いられる。
【００９０】
従って、本願の実施例のネットワーク装置では、ネットワーク装置の間の協調により端末装置はあるベアラのデータ複製伝送機能に対する有効なネットワーク装置を決定でき、該ベアラのデータ複製伝送機能の後続制御に有利であり、更にデータ伝送性能に有利である。
【００９１】
なお、本願の実施例において、該プロセッサ７３０は中央処理装置（Ｃｅｎｔｒａｌ  Ｐｒｏｃｅｓｓｉｎｇ  Ｕｎｉｔ、ＣＰＵ）であってもよく、該プロセッサ７３０は他の汎用プロセッサ、デジタル信号プロセッサ、特定用途向け集積回路、フィールドプログラマブルゲートアレイ又はその他のプログラマブルロジックデバイス、ディスクリートゲート又はトランジスタロジックデバイス、ディスクリートハードウェアユニット等であってもよい。汎用プロセッサはマイクロプロセッサーであってもよく、又は、該プロセッサはいずれかの一般的なプロセッサ等であってもよい。
【００９２】
該メモリ７４０は読み出し専用メモリ及びランダムアクセスメモリを含んで、命令及びデータをプロセッサ７３０に提供することができる。メモリ７４０の一部は不揮発性ランダムアクセスメモリを含む。例えば、メモリ７４０はデバイスタイプに関する情報を記憶してもよい。
【００９３】
実現プロセスにおいて、上記方法の各内容はプロセッサ７３０におけるハードウェアの集積論理回路又はソフトウェア形態の命令によって完了される。本願の実施例に開示される方法の内容はハードウェアプロセッサで実行して完成し、又はプロセッサにおけるハードウェア及びソフトウェアモジュールの組み合わせで実行して完成するように直接に具現されてもよい。ソフトウェアモジュールはランダムメモリ、フラッシュメモリ、読み出し専用メモリ、プログラマブル読み出し専用メモリ又は電気的に消去可能なプログラマブルメモリ、レジスタ等の本分野の成熟した記憶媒体に位置してもよい。該記憶媒体はメモリ７４０に位置し、プロセッサ７３０はメモリ７４０における情報を読み取り、そのハードウェアと組み合わせて上記方法の内容を完了する。重複を避けるために、ここで詳細な説明は省略する。
【００９４】
１つの具体的な実施形態において、ネットワーク装置５００における送信ユニットは、図８における出力インタフェース７２０を介して実現でき、ネットワーク装置４００における決定ユニットは、図８におけるプロセッサインタフェース７３０を介して実現できる。
【００９５】
当業者が理解できるように、本明細書に開示されている実施例を参照して説明した各例のユニット及びアルゴリズムステップは、電子ハードウェア、又はコンピュータソフトウェアと電子ハードウェアとの組合せで実現できる。これらの機能をハードウェアそれともソフトウェア方式で実行するかは、技術案の特定応用及び設計制約条件によって決定される。当業者は各特定の応用に対して説明される機能を異なる方法で実現することができるが、このような実現は本願の範囲を超えると見なされるべきではない。
【００９６】
当業者が理解できるように、説明を容易で簡単にするために、上記説明されたシステム、装置及びユニットの具体的な動作過程については、上記方法実施例における対応過程を参照してもよく、ここで繰り返して説明しない。
【００９７】
本願に係るいくつかの実施例において、開示されるシステム、装置及び方法は、他の方式で実現されてもよいと理解すべきである。例えば、以上に説明された装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインタフェース、装置又はユニットによる間接結合又は通信接続であってもよく、電気、機械又は他の形式であってもよい。
【００９８】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【００９９】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１００】
該機能はソフトウェア機能ユニットの形態で実現され独立した製品として販売又は使用される場合、１つのコンピュータ可読記憶媒体に記憶されてもよい。このような理解に基づいて、本願の技術案は本質的に又は従来技術に貢献する部分又は該技術案の一部はソフトウェア製品の形態で実施されることができ、該コンピュータソフトウェア製品は１つの記憶媒体に記憶され、１つのコンピュータ装置（パーソナルコンピュータ、サーバ、又はネットワーク装置等）に本願の各実施例の全て又は一部のステップを実行させるための複数の命令を含む。上記記憶媒体は、Ｕディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等のプロクラムコードを記憶可能な種々の媒体を含む。
【０１０１】
以上の説明は、本発明の具体的な実施形態に過ぎず、本発明の保護範囲を制限するためのものではなく、当業者が本発明に開示される技術的範囲内に容易に想到し得る変更や置換は、いずれも本発明の保護範囲内に含まれるべきである。従って、本発明の保護範囲は特許請求の範囲に準じるべきである。
【図１】
2020536406.tif 000004
【図２】
2020536406.tif 000005
【図３】
2020536406.tif 000006
【図４】
2020536406.tif 000007
【図５】
2020536406.tif 000008
【図６】
2020536406.tif 000009
【図７】
2020536406.tif 000010
【図８】
2020536406.tif 000011
【手続補正書】
【提出日】令和2年8月12日(2020.8.12)
【手続補正１】
【補正対象書類名】明細書
【補正対象項目名】０００７
【補正方法】変更
【補正の内容】
【０００７】
第２ネットワーク装置は、該複数のネットワーク装置における第１ネットワーク装置を除くすべてのネットワーク装置であり、該複数のネットワーク装置は対応するベアラをアクティベーション又はディアクティベーションすることができるすべてのネットワーク装置である。
【手続補正２】
【補正対象書類名】明細書
【補正対象項目名】０００８
【補正方法】変更
【補正の内容】
【０００８】
一つの可能な実現形態において、該端末装置が該各ネットワーク装置の第１伝送制御情報に基づいて、第１ＤＲＢのデータ複製伝送機能を制御するためのターゲットネットワーク装置を該第１ネットワーク装置として決定した後、該方法は、
該端末装置が該第１ネットワーク装置の第２伝送制御情報を取得し、該第２伝送制御情報は該第１ＤＲＢのために該第１ネットワーク装置により設定されたデータ複製伝送機能の状態を指示することに用いられることと、
該端末装置が該第２伝送制御情報に基づいて、該第１ＤＲＢのデータ複製伝送機能を制御することと、を更に含む。
【手続補正３】
【補正対象書類名】明細書
【補正対象項目名】００１７
【補正方法】変更
【補正の内容】
【００１７】
第４態様では、上記第２態様又は第２態様のいずれかの可能な実現形態の方法を実行するためのネットワーク装置を提供する。具体的に、該ネットワーク装置は、上記第２態様又は第２態様のいずれかの可能な実現形態の方法を実行するためのユニットを備える。
【手続補正４】
【補正対象書類名】明細書
【補正対象項目名】００３３
【補正方法】変更
【補正の内容】
【００３３】
理解しやすくするために、以下、図２を参照しながら二重接続シーンでのデータ複製伝送方式のプロトコルアーキテクチャを簡単に説明する。データ複製伝送方式はスプリットベアラ（ｓｐｌｉｔ  ｂｅａｒｅｒ）のプロトコルアーキテクチャを用いる。アップリンクとダウンリンクにとって、ＰＤＣＰはあるセルグループ（Ｃｅｌｌ  Ｇｒｏｕｐ、ＣＧ）に位置し、該ＣＧはアンカーセルグループ（ａｎｃｈｏｒ  ＣＧ）であり、ＣＧはマスターセルグループ及びセカンダリセルグループを含み、ＰＤＣＰはＰＤＣＰ  ＰＤＵを同一の２つのものに複製し、例えば、１つはＰＤＣＰ  ＰＤＵであり、もう１つは複製された（Ｄｕｐｌｉｃａｔｅｄ）ＰＤＣＰ  ＰＤＵであり、２つのＰＤＣＰ  ＰＤＵは異なるＣＧの無線リンク制御（Ｒａｄｉｏ  Ｌｉｎｋ  Ｃｏｎｔｒｏｌ、ＲＬＣ）、メディアアクセス制御（Ｍｅｄｉａ  Ａｃｃｅｓｓ  Ｃｏｎｔｒｏｌ、ＭＡＣ）を介して、更にエアインタフェースを介して端末（ダウンリンク）又は基地局（アップリンク）の対応するＭＡＣ、ＲＬＣ層に到達して、最終的にＰＤＣＰで集まり、ＰＤＣＰ層が２つのＰＤＣＰ  ＰＤＵが同じ複製バージョンであることを監視すると、その１つを捨て、他の１つを上位層に送信する。２つのＲＬＣ及びＭＡＣをそれぞれＰＤＣＰに接続するベアラはｓｐｌｉｔ  ｂｅａｒｅｒと呼ばれる。
【手続補正５】
【補正対象書類名】明細書
【補正対象項目名】００３６
【補正方法】変更
【補正の内容】
【００３６】
図３は本願の実施例のデータ伝送方法２００の模式的なブロック図を示す。図３に示すように、該方法２００は以下の２１０〜２２０の一部又は全部を含む。
【手続補正６】
【補正対象書類名】明細書
【補正対象項目名】００３７
【補正方法】変更
【補正の内容】
【００３７】
２１０、端末装置は複数のネットワーク装置における各ネットワーク装置の第１伝送制御情報を取得し、前記複数のネットワーク装置における第１ネットワーク装置の第１伝送制御情報は、第１データ無線ベアラ（ＤＲＢ）のために前記第１ネットワーク装置により設定されたデータ複製伝送機能の状態がアクティブ状態であることを指示することに用いられ、前記複数のネットワーク装置における前記第１ネットワーク装置を除く第２ネットワーク装置の第１伝送制御情報は、前記第１ＤＲＢのために前記第２ネットワーク装置により設定されたデータ複製伝送機能の状態が非アクティブ状態であることを指示することに用いられる。
【手続補正７】
【補正対象書類名】明細書
【補正対象項目名】００３８
【補正方法】変更
【補正の内容】
【００３８】
２２０、前記端末装置は前記各ネットワーク装置の第１伝送制御情報に基づいて、第１ＤＲＢのデータ複製伝送機能を制御するためのターゲットネットワーク装置を前記第１ネットワーク装置として決定する。
【手続補正８】
【補正対象書類名】明細書
【補正対象項目名】００５２
【補正方法】変更
【補正の内容】
【００５２】
選択肢として、本願の実施例において、該端末装置が該各ネットワーク装置の第１伝送制御情報に基づいて、第１ＤＲＢのデータ複製伝送機能を制御するためのターゲットネットワーク装置を該第１ネットワーク装置として決定した後、該方法は、
該端末装置が該第１ネットワーク装置の第２伝送制御情報を取得し、該第２伝送制御情報は該第１ＤＲＢのために該第１ネットワーク装置により設定されたデータ複製伝送機能の状態を指示することに用いられることと、
該端末装置が該第２伝送制御情報に基づいて、該第１ＤＲＢのデータ複製伝送機能を制御することと、を更に含む。
【手続補正９】
【補正対象書類名】明細書
【補正対象項目名】００５９
【補正方法】変更
【補正の内容】
【００５９】
理解すべきなのは、本願の実施例の様々な指示情報、例えばダウンリンク制御情報（Ｄｏｗｎｌｏａｄ  Ｃｏｎｔｒｏｌ  Ｉｎｆｏｒｍａｔｉｏｎ、ＤＣＩ）等は、上記ＭＡＣ層シグナリングを除く他のシグナリングによって送信してもよい。
【手続補正１０】
【補正対象書類名】明細書
【補正対象項目名】００６２
【補正方法】変更
【補正の内容】
【００６２】
図４は本願の実施例のデータ伝送方法３００の模式的なブロック図を示す。図４に示すように、該方法３００は以下の３１０〜３２０の一部又は全部を含む。
【手続補正１１】
【補正対象書類名】明細書
【補正対象項目名】００６３
【補正方法】変更
【補正の内容】
【００６３】
３１０、第１ネットワーク装置は前記第１ネットワーク装置を除くネットワーク装置とのインタラクションにより、前記第１ネットワーク装置を、端末装置の第１データ無線ベアラ（ＤＲＢ）のデータ複製伝送機能を制御するためのターゲットネットワーク装置として決定する。
【手続補正１２】
【補正対象書類名】明細書
【補正対象項目名】００６４
【補正方法】変更
【補正の内容】
【００６４】
３２０、前記第１ネットワーク装置は伝送制御情報を前記端末装置に送信し、前記伝送制御情報は前記第１ＤＲＢのために前記第１ネットワーク装置により設定されたデータ複製伝送機能の状態を指示することに用いられ、前記状態はアクティブ状態又は非アクティブ状態である。
【手続補正１３】
【補正対象書類名】明細書
【補正対象項目名】００６８
【補正方法】変更
【補正の内容】
【００６８】
理解すべきなのは、ネットワーク装置について説明したネットワーク装置と端末装置との間のインタラクション及び関連特性、機能等は、端末装置の関連特性、機能に対応する。そして関連内容は上記方法２００において詳細に説明したが、簡明のために、ここで繰り返して説明しない。
【手続補正１４】
【補正対象書類名】明細書
【補正対象項目名】００８３
【補正方法】変更
【補正の内容】
【００８３】
図７に示すように、本願の実施例は端末装置６００を更に提供し、該端末装置６００は図５の端末装置４００であってもよく、図３の方法２００に対応する端末装置の内容を実行することに用いられることができる。該端末装置６００は入力インタフェース６１０、出力インタフェース６２０、プロセッサ６３０及びメモリ６４０を備え、該入力インタフェース６１０、出力インタフェース６２０、プロセッサ６３０及びメモリ６４０はバスシステムを介して接続可能である。該メモリ６４０はプログラム、命令又はコードを記憶することに用いられる。該プロセッサ６３０は該メモリ６４０におけるプログラム、命令又はコードを実行して、入力インタフェース６１０による信号受信、出力インタフェース６２０による信号送信を制御して上記方法実施例における操作を完成することに用いられる。
【手続補正１５】
【補正対象書類名】明細書
【補正対象項目名】００８９
【補正方法】変更
【補正の内容】
【００８９】
図８に示すように、本願の実施例はネットワーク装置７００を更に提供し、該ネットワーク装置７００は図６におけるネットワーク装置５００であってもよく、図４の方法３００に対応するネットワーク装置の内容を実行することに用いられることができる。該ネットワーク装置７００は入力インタフェース７１０、出力インタフェース７２０、プロセッサ７３０及びメモリ７４０を備え、該入力インタフェース７１０、出力インタフェース７２０、プロセッサ７３０及びメモリ７４０はバスシステムを介して接続可能である。該メモリ７４０はプログラム、命令又はコードを記憶することに用いられる。該プロセッサ７３０は該メモリ７４０におけるプログラム、命令又はコードを実行して、入力インタフェース７１０による信号受信、出力インタフェース７２０による信号送信を制御して上記方法実施例における操作を完成することに用いられる。
【手続補正１６】
【補正対象書類名】明細書
【補正対象項目名】００９４
【補正方法】変更
【補正の内容】
【００９４】
１つの具体的な実施形態において、ネットワーク装置５００における送信ユニットは、図８における出力インタフェース７２０を介して実現でき、ネットワーク装置５００における決定ユニットは、図８におけるプロセッサ７３０を介して実現できる。
【手続補正１７】
【補正対象書類名】特許請求の範囲
【補正対象項目名】全文
【補正方法】変更
【補正の内容】
【特許請求の範囲】
【請求項１】
端末装置が複数のネットワーク装置における各ネットワーク装置の第１伝送制御情報を取得し、前記複数のネットワーク装置における第１ネットワーク装置の第１伝送制御情報は、第１データ無線ベアラ（ＤＲＢ）のために前記第１ネットワーク装置により設定されたデータ複製伝送機能の状態がアクティブ状態であることを指示することに用いられ、前記複数のネットワーク装置における前記第１ネットワーク装置を除く第２ネットワーク装置の第１伝送制御情報は、前記第１ＤＲＢのために前記第２ネットワーク装置により設定されたデータ複製伝送機能の状態が非アクティブ状態であることを指示することに用いられることと、
前記端末装置が前記各ネットワーク装置の第１伝送制御情報に基づいて、第１ＤＲＢのデータ複製伝送機能を制御するためのターゲットネットワーク装置を前記第１ネットワーク装置として決定することと、を含むことを特徴とするデータ伝送方法。
【請求項２】
前記端末装置が前記各ネットワーク装置の第１伝送制御情報に基づいて、第１ＤＲＢのデータ複製伝送機能を制御するためのターゲットネットワーク装置を前記第１ネットワーク装置として決定した後、前記方法は、
前記端末装置が前記第１ネットワーク装置の第２伝送制御情報を取得し、前記第２伝送制御情報は前記第１ＤＲＢのために前記第１ネットワーク装置により設定されたデータ複製伝送機能の状態を指示することに用いられることと、
前記端末装置が前記第２伝送制御情報に基づいて、前記第１ＤＲＢのデータ複製伝送機能を制御することと、を更に含むことを特徴とする請求項１に記載の方法。
【請求項３】
前記端末装置が前記第２伝送制御情報に基づいて、前記第１ＤＲＢのデータ複製伝送機能を制御することは、
前記第２伝送制御情報の指示する前記状態が非アクティブ状態である場合、非複製データを伝送するように前記第１ＤＲＢを制御することと、
前記第２伝送制御情報の指示する前記状態がアクティブ状態である場合、複製データを伝送するように前記第１ＤＲＢを制御することと、を含むことを特徴とする請求項２に記載の方法。
【請求項４】
前記第１ネットワーク装置の第１伝送制御情報はビットマップにおける第１ビットを介して、前記第１ＤＲＢのために前記第１ネットワーク装置により設定されたデータ複製伝送機能の状態を指示し、前記端末装置が複数のネットワーク装置における各ネットワーク装置の第１伝送制御情報を取得することは、
前記端末装置が前記第１ネットワーク装置から送信された前記ビットマップを受信することと、
前記端末装置が前記ビットマップにおける前記第１ＤＲＢに対応する前記第１ビットの値を前記第１ネットワーク装置の第１伝送制御情報として決定することと、を含むことを特徴とする請求項１〜３のいずれか１項に記載の方法。
【請求項５】
前記第１ネットワーク装置の第１伝送制御情報はメディアアクセス制御（ＭＡＣ）シグナリングにベアリングされることを特徴とする請求項４に記載の方法。
【請求項６】
前記複数のネットワーク装置はマスターセルグループ内のネットワーク装置及びセカンダリセルグループ内のネットワーク装置を含むことを特徴とする請求項１〜５のいずれか１項に記載の方法。
【請求項７】
第１ネットワーク装置は前記第１ネットワーク装置を除くネットワーク装置とのインタラクションにより、前記第１ネットワーク装置を、端末装置の第１データ無線ベアラ（ＤＲＢ）のデータ複製伝送機能を制御するためのターゲットネットワーク装置として決定することと、
前記第１ネットワーク装置が伝送制御情報を前記端末装置に送信し、前記伝送制御情報は前記第１ＤＲＢのために前記第１ネットワーク装置により設定されたデータ複製伝送機能の状態を指示することに用いられ、前記状態がアクティブ状態又は非アクティブ状態であることと、を含むことを特徴とするデータ伝送方法。
【請求項８】
前記第１ネットワーク装置はマスターセルグループ内のネットワーク装置であることを特徴とする請求項７に記載の方法。
【請求項９】
端末装置であって、
複数のネットワーク装置における各ネットワーク装置の第１伝送制御情報を取得することに用いられ、前記複数のネットワーク装置における第１ネットワーク装置の第１伝送制御情報は第１データ無線ベアラ（ＤＲＢ）のために前記第１ネットワーク装置により設定されたデータ複製伝送機能の状態がアクティブ状態であることを指示することに用いられ、前記複数のネットワーク装置における前記第１ネットワーク装置を除く第２ネットワーク装置の第１伝送制御情報は、前記第１ＤＲＢのために前記第２ネットワーク装置により設定されたデータ複製伝送機能の状態が非アクティブ状態であることを指示することに用いられる取得ユニットと、
前記各ネットワーク装置の第１伝送制御情報に基づいて、第１ＤＲＢのデータ複製伝送機能を制御するためのターゲットネットワーク装置を前記第１ネットワーク装置として決定することに用いられる決定ユニットと、を備えることを特徴とする端末装置。
【請求項１０】
前記取得ユニットは更に、
前記第１ネットワーク装置の前記第１伝送制御情報を取得した後、前記第１ネットワーク装置の、前記第１ＤＲＢのために前記第１ネットワーク装置により設定されたデータ複製伝送機能の状態を指示するための第２伝送制御情報を取得することに用いられ、
前記端末装置は、
前記第２伝送制御情報に基づいて、前記第１ＤＲＢのデータ複製伝送機能を制御することに用いられる制御ユニットを更に備えることを特徴とする請求項９に記載の端末装置。
【請求項１１】
前記制御ユニットは具体的に、
前記第２伝送制御情報の指示する前記状態が非アクティブ状態である場合、非複製データを伝送するように前記第１ＤＲＢを制御することと、
前記第２伝送制御情報の指示する前記状態がアクティブ状態である場合、複製データを伝送するように前記第１ＤＲＢを制御することと、に用いられることを特徴とする請求項１０に記載の端末装置。
【請求項１２】
前記第１ネットワーク装置の第１伝送制御情報はビットマップにおける第１ビットを介して、前記第１ＤＲＢのために前記第１ネットワーク装置により設定されたデータ複製伝送機能の状態を指示し、前記取得ユニットは具体的に、
前記第１ネットワーク装置から送信された前記ビットマップを受信することと、
前記ビットマップにおける前記第１ＤＲＢに対応する前記第１ビットの値を前記第１ネットワーク装置の第１伝送制御情報として決定することと、に用いられることを特徴とする請求項９〜１１のいずれか１項に記載の端末装置。
【請求項１３】
前記第１ネットワーク装置の第１伝送制御情報はメディアアクセス制御（ＭＡＣ）シグナリングにベアリングされることを特徴とする請求項１２に記載の端末装置。
【請求項１４】
ネットワーク装置であって、前記ネットワーク装置は第１ネットワーク装置であり、前記ネットワーク装置は、
前記第１ネットワーク装置を除くネットワーク装置とのインタラクションに基づいて、前記第１ネットワーク装置を、端末装置の第１データ無線ベアラ（ＤＲＢ）のデータ複製伝送機能を制御するためのターゲットネットワーク装置として決定することに用いられる決定ユニットと、
伝送制御情報を前記端末装置に送信することに用いられ、前記伝送制御情報は前記第１ＤＲＢのために前記第１ネットワーク装置により設定されたデータ複製伝送機能の状態を指示することに用いられ、前記状態がアクティブ状態又は非アクティブ状態である送信ユニットと、を備えることを特徴とするネットワーク装置。
【請求項１５】
前記伝送制御情報はビットマップにおける第１ビットを介して、前記第１ＤＲＢのために前記第１ネットワーク装置により設定されたデータ複製伝送機能の状態を指示することを特徴とする請求項１４に記載のネットワーク装置。
【国際調査報告】
2020536406.tif 000012
2020536406.tif 000013
2020536406.tif 000014
2020536406.tif 000015